(57)【要約】【課題】ＣＤＭＡ受信機中でのチャネル推定【解決手段】ＣＤＭＡ信号を受信する受信機は、並列干渉除去と直列干渉除去の重み付けハイブリッドを介して共通チャネル干渉推定値を受信信号に適用することによって、共通チャネル干渉を除去するように動作可能な共通チャネル干渉除去機能と、並列干渉除去と直列干渉除去の重み付けハイブリッドを介して干渉推定値を受信信号に適用することによって、物理チャネル自己干渉を除去するように動作可能な物理チャネル自己干渉消去機能とを備えている。【選択図】      図５
2005244982.tif 000002
【特許請求の範囲】
【請求項１】
ＣＤＭＡ信号を受信する受信機であって、並直列干渉除去の重み付けハイブリッドを介して共通チャネル干渉推定値を受信信号に適用することによって、共通チャネル干渉を除去する動作を可能にする共通チャネル干渉除去手段と、前記並直列干渉除去の重み付けハイブリッドを介して前記干渉推定値を受信信号に適用することによって、物理チャネル自己干渉を除去する動作を可能にする物理チャネル自己干渉除去手段とを備える、受信機。
【請求項２】
初期チャネル推定手段を備え、前記第１のチャネル推定手段は、前記受信信号の複数のマルチパス成分で成る初期チャネル推定値を決定するために前記共通チャネル干渉除去手段によって用いられる、前記受信信号のマルチパス成分の複数の推定値を生成するように動作可能であり、そして前記受信信号の前記マルチパス成分を前記物理チャネル自己干渉除去手段で用いるコヒーレント受信信号に整列するように動作可能なマルチパス再調整手段を有する、請求項１に記載の受信機。
【請求項３】
前記マルチパス再調整手段はレーキ受信機である、請求項２に記載の受信機。
【請求項４】
共通チャネル干渉と物理チャネル自己干渉が除去された後で、前記信号のマルチパス成分を初期推定値及び追加チャネル推定値の一方を参照して調整するように動作可能な追加マルチパス再調整手段と共に、選択的又は別方法で用いて、前記共通チャネル干渉及び前記物理チャネル自己干渉が除去された後の前記信号の複数のマルチパス成分を含む追加チャネル推定値を決定する、追加チャネル推定値手段をさらに備える、請求項２又は３に記載の受信機。
【請求項５】
前記追加のマルチパス再調整手段はレーキ受信機である、請求項４に記載の受信機。
【請求項６】
前記共通チャネル干渉除去手段で用いられるように、初期チャネル推定値及び追加チャネル推定値の一方又は他方を選択するチャネル推定値選択手段をさらに備える、請求項４又は５に記載の受信機。
【請求項７】
前記初期マルチパス再調整手段で用いられるように、初期チャネル推定値及び追加チャネル推定値の一方又は他方を選択するチャネル推定値選択手段をさらに備える、請求項４又は５に記載の受信機。
【請求項８】
前記物理チャネル自己干渉除去手段で用いられるように、初期チャネル推定値及び追加チャネル推定値の一方又は他方を選択するチャネル推定値選択手段をさらに備える、請求項４又は５に記載の受信機。
【請求項９】
前記追加のマルチパス再調整手段で用いられるように、初期チャネル推定値及び追加チャネル推定値の一方又は他方を選択するチャネル推定値選択手段をさらに備える、請求項４又は５に記載の受信機。
【請求項１０】
前記選択手段は、初期チャネル推定値と追加チャネル推定値を比較して、測定可能な条件に基づいて、前記推定値のどちらを用いるかを選択するように動作可能である、請求項６に記載の受信機。
【請求項１１】
前記選択手段は、各前記チャネル推定値中の干渉と雑音の測定値を決定する決定手段と、前記測定値を比較する比較手段とを備え、比較の結果に基づいてチャネル推定値を選択するように動作可能である、請求項１０に記載の受信機。
【請求項１２】
前記決定手段によって決定される前記測定値は、信号／干渉プラス雑音比を含む、請求項１１に記載の受信機。
【請求項１３】
ＣＤＭＡ信号を処理して、前記信号に対する干渉の影響を減少させる方法であって、並直列共通チャネル干渉除去の重み付けハイブリッドを介して共通チャネル干渉推定値を受信信号に対して適用することによって、共通チャネル干渉を除去することと、並直列物理チャネル自己干渉除去の重み付けハイブリッドを介して、受信信号に対して干渉推定値を適用することによって、物理チャネル自己干渉を除去することとを含む、方法。
【請求項１４】
前記共通チャネル干渉除去ステップで用いられる、受信信号のマルチパス成分の複数の推定値を生成するステップと、前記受信信号の複数のマルチパス成分を含む初期チャネル推定値を決定するステップと、前記受信信号の前記マルチパス成分を調整して、前記物理チャネル自己干渉除去ステップで用いられるコヒーレントな受信信号とするステップとをさらに含む、請求項１３に記載の方法。
【請求項１５】
レーキ受信機を提供するステップを含み、前記マルチパス再調整ステップは前記レーキ受信機で実行される、請求項１４に記載の方法。
【請求項１６】
共通チャネル干渉と物理チャネル自己干渉が除去された後で、前記信号のマルチパス成分を初期推定値及びチャネル推定値の一方を参照して調整する追加マルチパス再調整ステップと共に、選択的または別方法で実行して、共通チャネル干渉及び物理チャネル自己干渉が除去された後の前記信号の複数のマルチパス成分を含む、追加チャネル推定値を決定する追加チャネル推定ステップをさらに含む、請求項１４又は１５に記載の方法。
【請求項１７】
追加レーキ受信機を提供するステップを含み、また、前記追加マルチパス再調整ステップが前記追加レーキ受信機中で実行される、請求項１６に記載の方法。
【請求項１８】
前記共通チャネル干渉除去手段で用いられるように、初期チャネル推定値及び追加チャネル推定値の一方又は他方を選択することをさらに含む、請求項１６又は１７に記載の方法。
【請求項１９】
前記初期マルチパス再調整手段で用いられるように、初期チャネル推定値及び追加チャネル推定値の一方又は他方を選択することをさらに含む、請求項１６又は１７に記載の方法。
【請求項２０】
前記物理チャネル自己干渉除去手段で用いられるように、初期チャネル推定値及び追加チャネル推定値の一方又は他方を選択することをさらに含む、請求項１６又は１７に記載の方法。
【請求項２１】
前記追加のマルチパス再調整手段で用いられるように、初期チャネル推定値及び追加チャネル推定値の一方又は他方を選択することをさらに含む、請求項１６又は１７に記載の方法。
【請求項２２】
前記選択ステップは、初期チャネル推定値と追加チャネル推定値を比較して、測定可能な条件に基づいて、前記推定値のどちらを用いるかを選択することを含む、請求項１８から２１のいずれか１項に記載の方法。
【請求項２３】
前記選択ステップは、各前記チャネル推定値中の干渉と雑音の測定値を決定することと、前記測定値を比較することと、比較の結果に基づいてチャネル推定値を選択することとを含む、請求項２２に記載の方法。
【請求項２４】
前記決定手段によって決定される前記測定値は、信号／干渉プラス雑音比を含む、請求項２３に記載の方法。
【請求項２５】
ＣＤＭＡ信号を受信する受信機であって、受信信号から第１のチャネル推定値を求める手段と、前記受信信号から共通チャネル干渉を除去する手段と、共通チャネル干渉が除去された後で前記受信信号から第２のチャネル推定値を求める手段と、共通チャネル干渉が除去された前記信号中の物理チャネル自己干渉を除去する手段とを備える、受信機。
【請求項２６】
ＣＤＭＡ信号を処理して前記信号に対する干渉の影響を減少させる方法であって、受信信号から第１のチャネル推定値を求めることと、前記受信信号から共通チャネル干渉を除去することと、共通チャネル干渉が除去された後で前記受信信号から第２のチャネル推定値を求めることと、共通チャネル干渉が除去された前記信号中の物理チャネル自己干渉を除去することとを含む、方法。
【請求項２７】
コンピュータ装置にロードされると、前記装置を、ＣＤＭＡ信号を受信する受信機であり、前記受信機が並列干渉除去及び直列干渉除去の重み付けハイブリッドによって、共通チャネル干渉推定値を受信信号に適用することによって共通チャネル干渉を除去するように動作可能な共通チャネル干渉除去手段と、並列干渉除去及び直列干渉除去の重み付けハイブリッドを介して干渉推定値を受信信号に適用することによって物理チャネル自己干渉を除去するように動作可能な物理チャネル自己干渉除去手段とを備える前記受信機となるように構成するように動作可能な実行可能命令を定義するコンピュータ読み取り可能データを担う、コンピュータ読み取り可能記憶媒体。
【請求項２８】
コンピュータ装置にロードされると、前記装置を、ＣＤＭＡ信号を処理して、前記信号に対する干渉の影響を減少させる方法であり、前記方法が並直列共通チャネル干渉除去の重み付けハイブリッドを介して共通チャネル干渉推定値を受信信号に対して適用することによって共通チャネル干渉を除去することと、並直列物理チャネル自己干渉除去の重み付けハイブリッドを介して、受信信号に対して干渉推定値を適用することによって物理チャネル自己干渉を除去することとを含む前記方法を実行するように構成するように動作可能な実行可能命令を定義するコンピュータ読み取り可能データを担う、コンピュータ読み取り可能記憶媒体。
【請求項２９】
コンピュータ装置にロードされると、前記装置を、ＣＤＭＡ信号を受信する受信機であり、前記受信機が受信信号から第１のチャネル推定値を誘導する手段と、前記受信信号から共通チャネル干渉を除去する手段と、共通チャネル干渉が除去された後で前記受信信号から第２のチャネル推定値を誘導する手段と、共通チャネル干渉が除去された前記信号中の物理チャネル自己干渉を除去する手段とを備える前記受信機となるように構成するように動作可能な実行可能命令を定義するコンピュータ読み取り可能データを担持する、コンピュータ読み取り可能記憶媒体。
【請求項３０】
コンピュータ装置にロードされると、前記装置が、ＣＤＭＡ信号を処理して前記信号に対する干渉の影響を減少させる方法であり、前記方法は、受信信号から第１のチャネル推定値を求めることと、前記受信信号から共通チャネル干渉を除去することと、共通チャネル干渉が除去された後で前記受信信号から第２のチャネル推定値を求めることと、共通チャネル干渉が除去された前記信号中の物理チャネル自己干渉を除去することとを含む前記方法を実行するように構成するように動作可能な実行可能命令を定義するコンピュータ読み取り可能データを担持する、コンピュータ読み取り可能記憶媒体。
【発明の詳細な説明】
【技術分野】
【０００１】
本発明は、一般的には、スペクトル拡散通信システム中での干渉の影響を減少するための通信システムの受信機、および該受信機をもたらす方法に関する。本発明は、ディジタル式のモバイル通信システム、特に、第３世代（３Ｇ）システムに適用する。
【背景技術】
【０００２】
第３世代のモバイル電話ネットワークは、モバイル局と基地局間を無線インタフェースを介して通信するためＣＤＭＡ（Code Division Multiple Access：符号分割多重アクセス方式）拡散スペクトル信号を用いる。このような３Ｇネットワークは（いわゆる２．５Ｇネットワークも）、国際モバイル通信ＩＭＴ−２０００標準（ｈｔｔｐ：／／ｗｗｗ．ｉｔｕ．ｉｎｔ／、参照により組み込まれる）でカバーされている。第３世代技術では、ＣＤＭＡ（符号分割多重アクセス方式）を用いており、ＩＭＴ−２０００標準では、ヨーロッパと日本でのＷ−ＣＤＭＡ（広帯域ＣＤＭＡ）直接拡散ＦＤＤ（周波数分割多重方式）と、米国向けのＣＤＭＡ−２０００複数キャリアＦＤＤと、中国向けのＴＤ−ＣＤＭＡ（時分割二重ＣＤＭＡ）及びＴＤ−ＳＣＤＭＡ（時分割同期ＣＤＭＡ）との３つの主要モードを想定している。
【０００３】
総合的には、３Ｇネットワークの無線アクセス部はＵＴＲＡＮ（Universal Terrestrial Radio Access Network）と呼ばれ、ＵＴＲＡＮアクセスネットワークで成るネットワークはＵＭＴＳ（Universal Mobile Telecommunications System）ネットワークとして知られる。このＵＭＴＳシステムは、第３世代パートナーシッププロジェクト（３ＧＰＰ、３ＧＰＰ２）により実現された標準対象である。このための技術的仕様はｗｗｗ．３ｇｐｐ．ｏｒｇによって見ることができる。これらの標準は、一般的なＵＭＴＳアーキテクチャを記述している技術的仕様２３．１０１（バージョン４．０．０）と、ユーザ及び無線送受信（ＦＤＤ）を記述している技術的仕様２５．１０１（バージョン３．２．２）とを含んでいる。これら仕様は合体される。
【０００４】
図１に、参照符号１０で示す第３世代ディジタル式モバイル通信システムの一般的構造を示す。図１中で、ラジオ塔１２は、基地局コントローラ１６によって制御される基地局１４に結合される。モバイル通信デバイス１８は、ＧＳＭ（Global System for Mobile Communication）ネットワーク及びＧＰＲＳ（General Packet Radio Service）ネットワークにおいてＵｍインタフェースとして知られ、ＣＤＭＡ２０００及びＷ−ＣＤＭＡネットワークにおいてＵｕインタフェースとして知られ、無線又は空間インタフェース２０を介して、基地局１４との双方向通信で示されている。通常は、常に、複数のモバイル機器モバイル機器１８が所定のベースステーションに所属されており、このベースステーションは、これらの機器に寄与する複数の無線送受信機を含んでいる。
【０００５】
基地局コントローラ１６は、他の複数の基地局コントローラ（図示せず）と共に、モバイル交換局（ＭＳＣ）２２に結合される。複数のこのようなＭＳＣは、ゲートウエイＭＳＣ（ＧＭＳＣ）２４に接続され、このゲートウエイはモバイル電話ネットワークを公衆交換電話ネットワーク（ＰＳＴＮ）２６に接続する。ホームロケーションレジスタ（ＨＬＲ）２８及びビジターロケーションレジスタ（ＶＬＲ）３０は、コールルーティングとローミングを管理し、他のシステム（図示せず）は認証と課金を管理する。維持管理センター（ＯＭＣ）２９は、基地局やスイッチなどのネットワーク基幹要素から統計データを収集して、高レベル観のネットワーク性能をネットワークオペレータに提供する。ＯＭＣは、例えば、ネットワークの利用可能なキャパシティのどれくらいが、またはネットワークの部分のどれくらいが１日の異なる時刻で使用されているかを決定するために使用できる。これにより、利用可能なネットワークリソースのより効果的な管理を可能にする。
【０００６】
上述したネットワーク基幹は、モバイル通信機器１８と他のモバイル機器モバイル機器及び／又はＰＳＴＮ２６との間で回路交換音声接続を管理する。ＧＰＲＳなどのいわゆる第２．５世代ネットワーク及び第３世代ネットワークは、回路交換音声サービスに加えてパケットデータサービスを管理できる。このようなネットワークでは、大まかに言えば、パケット制御ユニット（ＰＣＵ）３２が基地局コントローラ１６に追加され、そしてこれは階層的に連続するスイッチによってインターネット３８などのパケットデータネットワークに接続される。ＧＳＭベースのネットワークでは、これらには、サービングＧＰＲＳサポートノード（ＳＧＳＮ）３４とゲートウエイＧＰＲＳサポートノード（ＧＧＳＮ）３６とが含まれている。図１のシステム及び後述するシステムの双方において、このネットワーク内の要素の機能は、本システムの単一物理ノード又は互いに別個の物理ノードに存在しても良いことが評価される。
【０００７】
モバイル機器モバイル機器１８とネットワーク基幹との間の通信には、一般的にはデータと制御信号の双方が用いられる。このデータはディジタル符号化音声データにより構成されてもよく、又は、データモデムがデータをモバイル機器モバイル機器に対して透過的に通信するために採用されても良い。ＧＳＭタイプのネットワークでは、テキスト及び他の低帯域幅データがＧＳＭショートメッセージサービス（ＳＭＳ）を用いて送られてもよい。
【０００８】
第２．５世代又は第３世代モバイル機器ネットワークでは、モバイル機器１８は、他の電話への単なる音声接続以上のものを提供できる。例えば、モバイル機器１８は、ビデオ及び／又はマルチメディアデータサービス、Ｗｅｂブラウジング、ｅメール及び他のデータサービスへのアクセスを付加的又は代替え的に提供できる。論理的には、モバイル機器１８は、データプロセッサやパソコンなどの端末装置に直列に接続されたモバイル端末（加入者情報モジュール（ＳＩＭ）カードを組み込んでいる）を備えているものと考えてもよい。一般に、モバイル機器がネットワークへ一旦接続されてしまうと、それは「常時閉」であり、ユーザデータは、例えば、モバイル端末／端末装置インタフェースでの標準ＡＴコマンドによって本機器と外部データネットワーク間で透過的に転送できる。モバイル機器１８が一般のモバイル電話により構成されている場合、ターミナルアダプタが必要かもしれない。このターミナルアダプタはＧＳＭデータカードにより構成できる。
【０００９】
ＣＤＭＡスペクトル拡散通信システムでは、ベースバンド信号は、無線周波数（ＲＦ）搬送波を変調する前に、かなり高いビットレート（チップレートと呼ぶ）を有する擬似ランダム拡散シーケンスと混合されることによって拡散される。受信機では、このベースバンド信号は、受信信号と擬似ランダム拡散シーケンスとを相関器に供給し、ロックされるまで一方に他方を通過させることによって回復される。一旦コードロックが得られたら、それは、入力信号が拡散シーケンスに対して早いか遅いときを検出し、その変化を補償するアーリレイトトラッキングループ(early-late tracking loop)などのコードトラッキングループによって維持される。
【００１０】
このようなシステムは、初期の擬似ランダム拡散シーケンスが既知であれば、ベースバンド信号が回復できるだけであるので、コード分割多重化として記述される。スペクトル拡散通信システムは、様々な拡散シーケンスの全てを有する多くの送信機がＲＦスペクトルの同じ部分を用いることを可能にし、これにより受信機は、適切な拡散シーケンスを選択することによって所望の信号に「同調」する。
【００１１】
拡散符号は、信号の帯域幅を変えないが、拡散符号が実質的に互いに直交しているので、異なるユーザへまたは該ユーザからの信号を再度互いに区別することを可能にする。チャネル化拡散だけでなくスクランブリングも用いられる。即ち、ＯＶＳＦ拡散後のチップレートでの信号がスクランブリング符号と掛け算され、同じチップレートでスクランブルド符号を生成する。このスクランブリング符号は、セル特定化符号である。同じセル中の全てのユーザは同じスクランブリング符号を有し、ユーザは独自のＯＶＳＦ符号で区別されるだけである。このように、チップレートはチャネル化符号によって決定され、本システムでは、次のスクランブリングによって影響されない。したがって、一定のチップレートに対する記号レートも同様に、スクランブリングによって影響されない。
【００１２】
第３世代のモバイル電話システムでは、一般的には、異なる拡散係数及びスクランブルコードリンクが基地局からモバイル局へのダウンリンク及びモバイル局から基地局へのアップリンクに対して用いられる。一般に、チャネル化符号は、４チップないし２５６チップの長さ、すなわち、等価的には、４ないし２５６の拡散係数を有する（しかし、他の拡散係数を用いてもよい）。一般的にはアップリンク及びダウンリンク無線フレームは３８４００チップのスクランブリング符号長に対応して１０ミリ秒持続するが、ときには、例えば２５６チップの短いフレームがアップリンクに使用される。代表的なチップレートは３．８４Ｍチップ／秒（Ｍｃｐｓ）であり、これは、チャネルに対する最大ビットレート決定し、例えば、拡散係数が１６，即ち記号当たり１６チップであれば、これは２４０Ｋｂｐｓとなる。前述の図は単に説明のために提示されていることが分かる。
【００１３】
ＯＶＳＦ符号は、上に参照した３ＧＰＰ仕様中で公開されている符号ツリーを用いて定義され、また、Ｃｃｈ，ＳＦ，ｑと一意に識別されるが、ここで、ＳＦは符号の拡散係数であり、ｑは符号番号であり、以下に示す関係にある。
【００１４】
０≦ｑ≦ＳＦ−１
図２Ａ、２Ｂ、２Ｃは、ＯＶＳＦ符号Ｃｃｈ，８，４（図２Ａ）に対するＡＣＦのスクランブル符号が用いられる（図２Ｂ）状況との比較を示しており、最大シーケンス（ｍ個のシーケンス）（図２Ｃ）で、次のようになっている。
【００１５】
Ｃｃｈ，８，４＝［１，−１，１，−１，１，−１，１，−１］
また、
ｍ＝７である。
【００１６】
ｍ個のシーケンスと比較すると、ＯＶＳＦ符号はＡＣＦが弱い（図２Ａ）。スクランブル符号の適用後に、ＡＣＦは改善される（図２Ｂ）が、各記号で同一ではなく、したがって、システム性能に対しては不十分のままである。ノンゼロＡＣＦ（non-zero AFC）を持つ不完全拡散符号は、マルチパスプロパゲーション（multipath propagation）が生じるときにパス間干渉（Inter-path Interference:ＩＰＩ）を起こさせる。一般に、ＩＰＩを、平均で、ＳＦに逆比例するレベルにまで減少することが可能である。これを図示するため、図３に、拡散符号Ｃｃｈ，１２８，４（ここで、ＳＦ＝１２８）のＡＣＦが示されている。
【００１７】
モバイル局との通信でより高いビットレートが必要とする場合、１つ以上のこのようなチャネルを、いわゆる多符号伝送を行うために用いることができる。多符号伝送では、複数のデータチャネルが、効果的には並列用いられ、モバイル局に対するデータ伝送の全体的なレートを増加する。一般に、多符号データチャネルは、同じスクランブリング符号と互いに異なったチャネル化符号とを有しているが、もっとも、拡散係数は同じであることが好ましい。
【００１８】
第３世代モバイル電話システムでは、多くのチャネルを通信用に用いる。これらの内の幾つかは特定のユーザ専用であるが、それ以外は、ユーザのグループ、例えば一定のセル又はセクタ内の全てのユーザに対して共通である。
【００１９】
トラフィックは、上述したように、専用物理制御チャネル（Dedicated Physical Control Channel:ＤＰＣＨ）で、又は多符号伝送の場合は複数のこのようなチャネルで、扱われる。上記の共通チャネルは、一般的に、信号情報と制御情報とを伝送し、また、本システムの無線リンクの物理層にも利用できる。セル固有のスクランブリング符号でスクランブリングされた未変調符号チャネルを備えた共通パイロットチャネル（ＣＰＩＣＨ）が提供され、これで、モバイル局受信機のところで、チャネルを推定したり等価させたりすることが可能となる。
【００２０】
同様に、同期化チャネル（Synchronisation Channel:ＳＣＨ）が、ネットワークセルの位置を見つけるためにモバイル局によって用いられる。一次ＳＣＨ（ＰＳＣＨ）は未変調であり、各セル中の同じチャネル化拡散シーケンスを用いて伝送される。ＰＳＣＨは、セル固有のスクランブリング符号を用いない。類似の二次ＳＣＨ（ＳＳＣＨ）も設けられているが、拡散シーケンスの数は限られている。一次と二次の共通制御物理チャネル（ＰＣＣＰＣＨ，ＳＣＣＰＣＨ）は、周知のチャネル化符号と拡散符号とを有しており、これは、制御情報を搬送するために設けられている。
【００２１】
上記の信号チャネル（ＣＰＩＣＨ、ＳＣＨ及びＣＣＰＣＨ）は、各モバイル局によって復号化されなければならず、したがって、拡散符号（チャネル化符号と、必要に応じて、スクランブリング符号）はモバイル局によっては既知である。例えば、その理由はネットワークの既知の符号が、ネットワークと共に使用するためユーザエンド装置の互換性を可能にするためユーザのエンド装置に記憶されてしまっていることである。
【００２２】
この説明で、以降、チャネルに対する言及は、一般に、物理チャネルに対する言及のことであり、１つ以上のネットワーク伝送チャネルがこのような物理チャネルにマッピングされる。状況が第３世代モバイル電話ネットワークであれば、モバイル局又はモバイル機器は、しばしば端末と呼ばれ、また、本明細書では、これらの一般的な用語同士間になんら区別はない。
【００２３】
ＡＣＦ及び符号拡散の相互相関関数が不完全であり、また、マルチパスが存在するため、上記の共通チャネルによって、以前に述べたＩＰＩに加えてチャネル間干渉（ＩＣＩ）が発生する。ＩＰＩとＩＣＩは、受信信号の信号／干渉プラス雑音比（ＳＩＮＲ）を劣化し、これが、逆拡散プロセスの出力に直接影響する。
【００２４】
スペクトル拡散システムの１つの利点は、このようなシステムがマルチパスのフェージングに対して比較的敏感でないことである。マルチパスフェージングは、送信機から受信機に至る信号が互いに異なった２つ以上の経路をとり、したがって、２つ以上のバージョンの信号がこの受信機のところに互いに異なった時点で到着して、互いに干渉すると発生する。この現象は、信号が、送信機と受信機間の建築物及び／又は地形と相互作用することによって発生し得る。このため、一般的に、櫛状の周波数応答が生成され、また、広帯域信号がマルチパスチャネル上で受信されると、複数の遅延によって、受信信号の複数の成分が櫛歯のような外観を呈する。マルチパスチャネルの数と位置は一般的に時間と共に、特に送信機又は受信機が移動中に変化する。しかしながら、当業者には理解されるように、スペクトル拡散受信機中の相関器は、マルチパス成分の内の１つに、通常は最強の直接信号にロックする傾向がある。
【００２５】
技術的に周知のように、複数の相関器を備えて、スペクトル拡散受信機が、それに対応する、受信信号の互いに別個の複数のマルチパス成分にロックすることを可能としている。このようなスペクトル拡散受信機はレーキ受信機として知られており、また、上記の相関器を含むこの受信機の部品は、しばしば、レーキ受信機の「フィンガ」と呼ばれる。このレーキ受信機の各々のフィンガからの互いに別個の出力を合成し、概して、各々の出力を等しく重み付けすることによって、又は、この合成された出力の信号／雑音比を最大化する重みを推定することによって、信号／雑音比（又はビットエラーレート）を改善する。この後者の技法は、最大比合成（ＭＲＣ）として知られている。
【００２６】
第３世代システム中の可能なより高いデータレートをサポートすることが可能なユーザエンド端末を、特に、モバイル機器のユーザが多く存在する地域で提供する、一般的な必要性が存在する。一般に、ＣＤＭＡシステムは、近／遠効果のため、アップリンクで制限される（不正確な符号を有する強い、近傍の信号との相関は、正確な符号を有するより弱く、より遠くの信号との相関より大きい）ものと考えられる。しかしながら、その代わりに、第３世代ＣＤＭＡシステムは、Ｗｅｂページや画像データのインターネットからのダウンロードなどの、予測される極めて非対称のサービスによるダウンリンク容量によって制限できる。このように、このようなより高いレートのダウンリンクデータサービスをサポートすることが可能なモバイル端末に対する一般的な必要性がある。
【００２７】
より高いデータレートのサービスをサポートし易くするために、基地局において、多重アクセス干渉（ＭＡＩ）を抑圧する方式を用いて、アップリンクを改善することが知られている。ＭＡＩは、様々なユーザから受信した信号の拡散符号は通常では完全には直交しないために発生する。したがって、基地局における干渉除去（ＩＣ）受信機は、ＭＡＩ成分を推定しようとするが、この成分は、受信された信号から、全てのユーザ間に並列に又は順次に差し引かれる。この除去されたＭＡＩとは、実質的に直交する２つの受信信号の互いに対応するマルチパス成分同士間の干渉である。この技法は、２００１年発行のJohn Wiley & Sons社のH.HolmaとA.Toskalaによる「ＵＭＴＳのためのＷＣＤＭＡ（WCDMA for UMTS）」（ISBN0741486876）の第１１．５．２節により詳細に説明されている。
【００２８】
１つのデータチャネルの異なるマルチパス成分同士間の干渉を抑圧する技法、すなわち、経路間自己干渉（ＩＰＩ）を抑圧する技法もまた、次の３ＧＰＰＷｅｂサイト、
http://www.3gpp.org/ftp/tsg ran/wg1_r11/tsgr1_18/docs/pdfs/r1-01-0102.pdf
から入手可能な、（ＴＳＧ  ＲＡＮ  ＷＧ）１の会議＃１８の文書（０１）０１０２のＮＴＴドコモによる論文「ＨＳＤＰＡに対するマルチパス干渉キャンセラ（ＭＰＩＣ）と６４ＱＡＭデータ変調の効果（Multipath Interference Canceller(MPIC)for HSDPA and Effect of 64QAM Data Modulation）」に記載されている。
【００２９】
しかしながら、Ｗ−ＣＤＭＡシステムは干渉で制限され、ユーザの最大数というものが存在するが、これは、マルチパスフェージングチャネル上で同時に通信し得るユーザの能力によって決まる数値である。この問題は、人口密度の高い都会環境と屋内環境との双方に共通の問題である。したがって、受信機が信号を受信するように動作し、また、この信号を、マルチパスフェージングに対する脆弱性が軽減された状態で処理することが可能な、Ｗ−ＣＤＭＡを用いたモバイル通信システムを提供するのが望ましい。
【００３０】
従来は、レーキ受信機をこのようなシステムの受信機のところに用いて、受信された信号から個々のマルチパス成分を分解し、また、マルチパスをダイバーシティ受信するようにする。レーキ最大比合成（ＭＲＣ）に対するチャネル係数の推定値を用いる。
【００３１】
しかしながら、従来のレーキ受信機は１人のユーザしかサポートできず、また、実際のマルチパス環境に対してパス間干渉（ＩＰＩ）とチャネル間干渉（ＩＣＩ）とを除去する能力に欠ける。現在可能である以上に正確なチャネル推定が広い範囲で望まれる。
【００３２】
上記のＩＰＩやＩＣＩなどの干渉のため、レーキ受信機のフィンガにおける信号／干渉プラス雑音比（ＳＩＮＲ）が減少する。このようにして、Ｗ−ＣＤＭＡシステム中での受信機で干渉除去（ＩＣ）が行われる。ＩＣは、関連するチャネルに関する正確な知識に基づいて干渉の影響を個別に推定することによって行われるが、この推定値から全体的な干渉を決定したり除去したりすることが可能である。
【００３３】
最も一般的に見受けられる２つのＩＣ技法として、直列干渉除去方式（ＳＩＣ）と並列干渉除去方式（ＰＩＣ）がある。これらは技術的に広く知られている。
【００３４】
一般的なＩＣには様々な問題が提起されている。特に、本技術は、システムの基地局で用いるのにもっとも適切であって、どれにでも適用可能というわけではない。さらに、ＩＣを不完全に適用すれば、ＩＣを適切に適用した場合に得られる性能向上の度合いが著しく減少したり逆転したりさえする危険を冒すことになりかねない。
【００３５】
１９９８年２月発行のIEEE Trans. Commun.の第４６巻の第２号のDivsalar、D.D.,Simon,M.K.,Raphaeli,D.による「ＣＤＭＡの場合における並列干渉除去の改善（Improved parallel interference cancellation for CDMA）」の２５８から２６８ページには、ＩＣを実行するに際して部分的に重み付けすることによって、チャネル推定の不備と、これに起因する正確な干渉複製の計算誤りと、ＩＣの有害動作という問題を克服する方法が記載されている。このような場合、この開示には、干渉の推定量を完全に解消するのではなく部分的に除去することが提案されている。
【００３６】
しかしながら、不完全なチャネル推定を克服するために改良型の部分的重み付けＩＣがこの文書中に提案されているが、この場合のＩＣは常に、重み付け係数が一定の状態で実行され、これは、チャネルに大きいフェージングが存在するかどうかとは無関係である。事実、各記号における干渉の影響はフェージングの場合同じではなく、ＳＩＮＲが比較的小さい場合には、チャネル毎の推定値が一般に微小である。
【００３７】
さらに、多段ＩＣの干渉の複製もまた、信頼性の高い再拡散が必要であり、また、すべてのＩＣＩとＩＰＩが、このプロセスで並列に再構築される。したがって、チャネル推定のほかにも、ＩＣは、ＩＣプロセスの初期の段階における判定誤り確率に対して極端に敏感なままである。
【００３８】
チャネル推定値は、簡単な多記号平均（ＭＳＡ）アルゴリズムから得ることが可能であるが、このアルゴリズムは、所定の期間にわたるチャネル反応の推定値を平均化するものである。従来のＭＳＡチャネル推定法には、ある問題がある。特に、ＭＳＡは平均化プロセスが動作するかなりの時間を必要とする。このため、このようなチャネル推定プロセスを採用するシステムでは大幅な遅延が発生することになる。さらに、従来のＭＳＡでは、平均白色ガウス雑音（ＡＷＧＮ）の影響を取り除くのではなく、単に軽減することが可能であるだけである。システムは例えば、マルチパス干渉（ＭＰＩ）や多ユーザ干渉（ＭＵＩ）などの様々なタイプの干渉に遭遇し得るが、ＭＳＡチャネル推定法の信頼性は、かなり劣化しかねない。
【発明の開示】
【発明が解決しようとする課題】
【００３９】
パス間干渉（ＩＰＩ）とチャネル間干渉（ＩＣＩ）の双方を効果的に除去し、また、効率的な干渉除去利得を得るシステムを提供することが可能であるのが望ましい。これがまた、レーキ受信機の各レーキフィンガのところにおける信号／干渉プラス雑音比（ＳＩＮＲ）の改善と、レーキ受信機の場合におけるマルチパスダイバーシティのより正確な検出の助けとなる。
【課題を解決するための手段】
【００４０】
本発明の第１の局面は、ＣＤＭＡ信号を受信する装置であって、共通チャネル干渉及び物理チャネルの自己干渉を、チャネル推定値に基づいて、また、この推定値を並直列除去の重み付けハイブリッドを介して供給することによって除去する手段を備える装置を提供する。
【００４１】
本発明の第２の局面は、ＣＤＭＡ信号を受信する装置であって、共通チャネル干渉を除去するため共通チャネル干渉除去手段を構成するため前記受信信号から第１チャネル推定値を得る手段と、物理自己干渉を除去するための追加の干渉除去に供給するための第２のチャネル推定値を得る手段とを備える、装置を提供する。
【００４２】
本発明の第３の局面は、ＣＤＭＡを受信する受信機であって、共通チャネル干渉推定値を並直列干渉除去の重み付けハイブリッドを介して受信信号に共通チャネルチャネル干渉推定値を与えることによって共通チャネル干渉を除去するよう動作できる供給チャネル干渉除去手段と、干渉推定値を並直列干渉除去の重み付けハイブリッドを介して前記受信信号に干渉推定値を与えることによって物理チャネル自己干渉を除去するように動作できる物理チャネル自己干渉除去手段とを備える、受信機を提供する。
【００４３】
この受信機は、前記受信信号の複数のマルチパス成分を含む初期チャネル推定値を決定するために前記共通チャネル干渉除去手段によって用いられる、前記受信信号のマルチパス成分の複数の推定値を発生するように動作可能な初期チャネル推定手段を備えるのが好ましい。
【００４４】
さらに、受信信号のマルチパス成分を物理チャネル自己干渉除去手段で用いられるようにコヒーレントな受信信号に調整するように動作可能な、マルチパス再調整手段が提供される。
【００４５】
このマルチパス再調整手段は、本発明のある好ましい実施形態では、レーキ受信機である。
【００４６】
本発明のある好ましい実施形態では、追加チャネル推定値を決定する追加チャネル推定値手段が提供される。この場合、この追加チャネル推定値は、共通チャネル干渉と物理チャネル自己干渉が除去された後で信号の複数のマルチパス成分を含むのが望ましい。
【００４７】
ある好ましい実施形態では、共通チャネル干渉と物理チャネル自己干渉が除去された後で信号のマルチパス成分を調整するように動作可能な追加のマルチパス再調整手段が提供される。この追加チャネル推定値は、この実施形態では、初期及び追加チャネル推定値の１つに対して、共通チャネル干渉除去及び物理チャネル自己干渉除去後に信号のマルチパス成分を整列するため追加マルチパス再調整手段と共に選択的または別の方法での使用に適している。
【００４８】
マルチパス初期チャネル推定値と追加チャネル推定値の内のどちらを追加マルチパス再調整手段で用いるかは、所定の仕方で決定することが可能であるが、その代わりに、どちらのチャネル推定値が特定の環境下で用いるのに最適であるかを所定の判定基準に基づいて決定する判定手段を提供することが可能である。
【００４９】
一実施形態では、この追加マルチパス再調整手段はレーキ受信機である。
【００５０】
本発明の一実施形態では、共通チャネル干渉除去手段で用いられる、初期チャネル推定値と追加チャネル推定値の内の一方又は他方を選択する、チャネル推定選択手段が提供される。
【００５１】
本発明の別の実施形態では、初期マルチパス再調整手段で用いられる、初期チャネル推定値と追加チャネル推定値の内の一方又は他方を選択する、チャネル推定値選択手段が提供される。
【００５２】
本発明のさらに別の実施形態では、物理チャネル自己干渉除去手段で用いられる、初期チャネル推定値と追加チャネル推定値の内の一方又は他方を選択する、チャネル推定値選択手段が提供される。
【００５３】
本発明のさらに別の実施形態では、追加のマルチパス再調整手段で用いられる、初期チャネル推定値と追加チャネル推定値の内の一方又は他方を選択する、チャネル推定値選択手段が提供される。
【００５４】
上記のチャネル推定値選択手段は、初期チャネル推定値と追加チャネル推定値を比較して、測定可能な条件に基づいて、これら推定値のどちらを用いるかを選択するように動作可能である。
【００５５】
チャネル推定値選択手段は、本発明のある好ましい実施形態では、各前記チャネル推定値中の干渉と雑音の測定値を決定する測定可能条件決定手段と、前記測定値を比較する比較手段とを備え、比較の結果に基づいてチャネル推定値を選択するように動作可能である。
【００５６】
前記決定手段によって決定された測定値は、本発明の一実施形態では、信号／干渉プラス雑音比（ＳＩＮＲ）を含んでいる。
【００５７】
本発明の別の局面によれば、ＣＤＭＡ信号を処理して、前記信号に対する干渉の影響を減少させる方法は、並直列共通チャネル干渉除去の重み付けハイブリッドによって共通チャネル干渉推定値を受信信号に対して適用することによって共通チャネル干渉を除去することと、並直列の物理チャネル自己干渉除去の重み付けハイブリッドによって、受信信号に対して干渉推定値を適用することによって物理チャネル自己干渉を除去することとを含む。
【００５８】
ある好ましい実施形態では、上記の方法は、共通チャネル干渉除去ステップで用いられる、受信信号のマルチパス成分の複数の推定値を発生するステップと、受信信号の複数のマルチパス成分を含む初期チャネル推定値を決定するステップと、受信信号のマルチパス成分を調整して物理チャネル自己干渉除去ステップで用いられるコヒーレントな受信信号とするステップと、をさらに含む。
【００５９】
前記方法はレーキ受信機を提供するステップを含み、マルチパス再調整ステップはこのレーキ受信機で実行される。
【００６０】
追加のチャネル推定ステップが提供される。このステップは、共通チャネル干渉除去ステップと物理チャネル自己干渉除去ステップとが実行された後で信号の複数のマルチパス成分を含む、追加チャネル推定値を決定することを含む。
【００６１】
結果として得られる追加チャネル推定値は、選択的にせよ別様にせよ、初期チャネル推定値と追加チャネル推定値の内の一方を参照しての、共通チャネル干渉除去ステップと物理チャネル自己干渉除去ステップ実行の後で、追加マルチパス再調整ステップで信号のマルチパス成分の調整を実行するのに用いられる。
【００６２】
本方法は、追加のレーキ受信機を提供するステップを含むのが好ましい。追加マルチパス再調整ステップは、この追加レーキ受信機中で実行される。
【００６３】
本発明の一代替実施形態では、本方法は、初期チャネル推定値と追加チャネル推定値の内のどちらの一方または他方を、共通チャネル干渉除去手段で用いるかを選択するステップをさらに含む。
【００６４】
本発明の別の代替実施形態では、本方法は、初期チャネル推定値と追加チャネル推定値の内のどちらの一方または他方を、初期マルチパス再調整手段で用いるかを選択するステップをさらに含む。
【００６５】
本発明のさらに別の代替実施形態では、本方法は、初期チャネル推定値と追加チャネル推定値の内のどちらの一方または他方を、物理チャネル自己干渉除去手段で用いるかを選択するステップをさらに含む。
【００６６】
本発明のさらに別の代替実施形態では、本方法は、初期チャネル推定値と追加チャネル推定値の内のどちらの一方または他方を、追加マルチパス再調整手段で用いるかを選択するステップをさらに含む。
【００６７】
上記の本発明の代替実施形態の内のどれにおいても、選択ステップは、初期チャネル推定値と追加チャネル推定値を比較して、測定可能条件に基づいて、前記推定値のどちらを用いるかを選択することを含む。
【００６８】
本発明のある好ましい実施形態では、選択ステップは、各前記チャネル推定値中での干渉と雑音の測定値を決定し、この測定値を比較し、比較結果に基づいてチャネル推定値を選択するステップを含む。
【００６９】
決定ステップで決定された測定値は、信号強度の大きさ／干渉プラス雑音の大きさの比を含む。あるいは、測定値は、信号強度の大きさ／干渉プラス雑音の大きさの比の関数であり、したがってこの指標である。
【００７０】
本発明の別の局面によれば、ＣＤＭＡ信号を処理して、前記信号に対する干渉の影響を減少させる方法は、共通チャネル干渉推定値を受信信号に適用することによって共通チャネル干渉を除去することと、干渉推定値を受信信号に適用することによって物理チャネル自己干渉を除去することとを含み、これら除去の動作の内の少なくとも一方では、並直列除去の重み付けハイブリッドが実行される。
【００７１】
本発明のさらに別の局面によれば、ＣＤＭＡ信号を受信する受信機であり、受信信号から第１のチャネル推定値を誘導する手段と、受信信号から共通チャネル干渉を除去する手段と、共通チャネル干渉が除去された後で受信信号から第２のチャネル推定値を誘導する手段と、共通チャネル干渉が除去された信号中の物理チャネル自己干渉を除去する手段とを備える前記受信機が提供される。
【００７２】
本発明のさらに別の局面によれば、ＣＤＭＡ信号を処理して前記信号に対する干渉の影響を減少させる方法であって、受信信号から第１のチャネル推定値を誘導することと、前記受信信号から共通チャネル干渉を除去することと、共通チャネル干渉が除去された後で前記受信信号から第２のチャネル推定値を誘導することと、前記共通チャネル干渉が除去された信号中の物理チャネル自己干渉を除去することとを含む、前記方法が提供される。
【００７３】
本発明の具体的な実施形態を、以下の添付図面を参照して、次に詳細に述べる。
【発明を実施するための最良の形態】
【００７４】
図４に、本発明の特定的な実施形態である、モバイル電話１８を示す。モバイル電話端末ユニットの様々なコンポーネントは当業者には周知であり、図４に示すそれは、一般的に従来の構造を持ち、適切な用途特定向けのハードウエア及び／又はメモリ手段に記憶されているソフトウエアによって、この特定的な実施形態にしたがって構成されている。
【００７５】
図４に示すように、モバイル電話１８は、無線通信伝送物を検出してそれを受信信号ｒ（ｔ）に変換するアンテナを備えている。受信機５２は、アンテナによって検出された受信信号ｒ（ｔ）を受信するように動作可能であり、送信機５４はアンテナ５０からネットワーク１０内の他のデバイスに信号を送出するように動作可能である。
【００７６】
処理ユニット５６は、受信信号から受信機５２によって抽出されたデータを受信して、データを送信機５４に対して送信用に送出するように動作可能である。処理ユニット５６は、従来の構造のものとして、又は、部分的には用途特定向けコンポーネントとして設計してもよく、そのため、メモリ５８に記憶されているデータとプログラム命令とによって構成されている。この処理ユニットは、出力情報をオーディオビジュアル出力ユニット６６に送出するように動作可能であり、このユニット６６は、オーディオとビジュアル表示出力形態でユーザに情報を提示することが可能である。ユーザ入力インタフェース６４は、ユーザの入力動作を受信してこれを処理ユニット５６が受信できる信号に変換することが可能である。さらに、マイクロフォン６２は、ユーザからなどの可聴信号を処理ユニット２４への送信用データに変換するように動作可能である。加入者情報モジュール（ＳＩＭ）６０は、モバイル電話１８中に取り外し可能に装着されており、また、処理ユニット５６と通信している。ＳＩＭ６０は、アカウントと他のユーザ固有の情報を記憶することが可能であり、これでモバイル電話１８を構成している。
【００７７】
図５に、受信機５２をさらに詳しく示す。受信機５２は、受信信号ｒ（ｔ）を受信して、この受信信号ｒ（ｔ）中の特定された各マルチパスｌに対する複数のチャネル係数複素数値ｈｌ＾（１）を含む初期チャネル推定値ｈ＾（１）を決定するように動作可能であるチャネル推定値を含む。
【００７８】
共通チャネル干渉推定／除去ユニット７２は、初期チャネル推定値ｈ＾（１）と共に受信信号ｒ（ｔ）を受信して、第１に、通信システムに対して特定された共通チャネルの各々からの干渉の推定値を含む共通チャネル干渉推定値を決定し、第２に、この共通チャネル干渉推定値を受信信号に適用して、共通チャネル干渉が除去された一連の受信信号を発生するように動作可能であり、この一連の信号は次に合成されて、ＣＣＩＣ出力ベクトルｓｉ（１）となる。
【００７９】
第１の逆拡散器／レーキユニット７４は、チャネル推定値ｈ＾（１）と共にこのＣＣＩＣ出力ベクトルｓｉ（１）を受信して、初期推定値ｂ＾（１）を生成するように動作可能である。この初期推定値ｂ＾（１）は、ＣＣＩＣ出力ベクトルをＤＰＣＨ拡散符号ＣＤＰＣＨで逆拡散させることによって誘導され、結果として得られる逆拡散データをレーキ中に通過させる。
【００８０】
ＤＰＣＨ自己干渉推定／除去ユニット７６は、初期推定値ｓｉ（１）をＣＣＩＣ出力ベクトルｓｉ（１）と共に受信して、チャネル推定値ｓｉ（１）に基づいてＤＰＣＨ自己干渉推定値を推定してこの推定値をＣＣＩＣ出力ベクトルｓｉ（１）に適用して、ＤＰＣＨ出力ベクトルｓｉ（２）を発生する。
【００８１】
次に、ＤＰＣＨ出力ベクトルＳｉ（２）が第２の逆拡散器／レーキユニット８０とチャネル逆拡散器／推定器７８に印加される。チャネル逆拡散器／推定器７８は、共通パイロットチャネル拡散符号ＣＣＰＩＣＨに基づいて第２のチャネル推定値ｈ＾（２）を決定して、この第２のチャネル推定値を第２の逆拡散器／レーキユニット８０に送り、このユニット８０は、ＤＰＣＨ拡散符号ＣＤＰＣＨを参照してＤＰＣＨ出力ベクトルｓｉ（２）を逆拡散させ、次に、第２のチャネル推定値ｈ＾（２）を参照してレーキ（収集）を結果として得られた逆拡散ベクトルに適用する。第２の逆拡散／レーキユニット８０は次に、最終的なデータストリームｂ＾（２）を処理ユニット５６に出力する。
【００８２】
共通干渉推定／除去ユニット７２をさらに詳しく図６に示す。共通干渉推定／除去ユニット７２は、共通物理チャネル抽出器８２を備えるが、これは、受信信号ｒ（ｔ）を受信して、前記の共通物理チャネルを抽出して並列に出力する。次に、この共通物理チャネルは、一連の共通チャネル干渉推定器８４に対して並列に送られ、推定器８４は各々が共通物理チャネルを受信して、この共通物理チャネルと第１のチャネル推定値ｈ＾（１）に基づいて、この共通物理チャネルに対する共通チャネル干渉推定値を表す一連の信号を生成するように動作可能である。この複数の共通チャネル干渉推定値は次に、一連の照合器８６に送られるが、この照合器８６は、様々な共通チャネル干渉推定値を照合して、一連の干渉推定値Ｉ＾ＣＯＭＭとするように動作可能であり、この推定値は次に、共通チャネル干渉除去ユニット８８に送られる。共通チャネル干渉除去ユニットは、干渉推定値Ｉ＾ＣＯＭＭに基づいて干渉を除去して、受信信号ｒ（ｔ）をＣＰＩＣＨ出力ベクトルｓｉ（１）に変換する。
【００８３】
次に、共通チャネル干渉推定器８４の動作を、図７を参照して説明する。図７に示す共通チャネル干渉推定器８４は、共通パイロットチャネル（ＣＰＩＣＨ）信号を受信するものであるが、序説で注記した他の共通チャネルもまた、それに対応する共通チャネル干渉推定器８４を有することが理解されよう。符号追跡ユニット８９は、複数の初期チャネル推定値τを発生するが、この推定値は各々に一連の乗算器９１中で入力ＣＰＩＣＨ信号を乗算し、この結果、複数の積、すなわち、第１のチャネル推定値のフィンガとなる。
【００８４】
第１のチャネル推定値ｈ＾（１）のフィンガの数と数値が同じである一連の乗算器９０は、受信したＣＰＩＣＨ信号に第１のチャネル推定値ｈ＾（１）のそれぞれを乗算する。これらの乗算の積は次に、さらなる乗算器９２に送られ、ここで、各々の積にそれぞれの重みγｌを乗算する。この重み付けされた積は次に一連の加算器９４に送られる。
【００８５】
各加算器９４は、入力された第１のチャネル推定値ｈ＾（１）のフィンガと対応しており、また、他の全てのフィンガに関する重み付けされた積を受信し、また、これらを加算して、フィンガｎに関する共通パイロットチャネル干渉値ＩＣＰＩＣＨ（ｎ）を生成するように動作可能である。したがって、図７に示すように、共通パイロットチャネル信号に関する共通チャネル干渉推定値は、第１のチャネル推定値ｈ＾（１）中のフィンガの数に対応する一連の共通パイロットチャネル推定値ＩＣＰＩＣＨ（ｎ）を形成する。この複数の干渉推定値は次に、一連の照合器に送られるが、この内の１つの機能を図８に示す。
【００８６】
図８に示すように、共通物理チャネル抽出器８２から抽出された、共通パイロットチャネルと、同期化チャネルと、全ての物理チャネルに関連するｌ番目に対応する干渉推定値は、照合器８６中の加算器９６で合算される。次に、これが、ｌ番目のフィンガＩ＾ＣＯＭＭ（ｌ）に対する共通チャネル干渉推定値として出力される。各照合器８６は、これら干渉推定値の内の対応する１つを生成して、全体の共通チャネル干渉推定値Ｉ＾ＣＯＭＭを生成する。この全体の干渉推定値Ｉ＾ＣＯＭＭは、次に、共通チャネル干渉除去ユニット８８に送られるが、このユニット８８の共通機能を図９に示す。
【００８７】
共通干渉除去ユニット８８は、受信信号ｒ（ｔ）を受信し、また、一連の加算器９８によって、共通チャネル干渉推定値Ｉ＾ＣＯＭＭの各要素を受信信号ｒ（ｔ）から減算する。この結果、ＣＰＩＣＨ出力ベクトルｓｉ（１）を構成する一連のスカラーサイ（scalar thighs）が出力される。
【００８８】
図１０に、第１の逆拡散器／レーキユニット７４をさらに詳しく示す。第２の逆拡散器／レーキユニット８０は類似の構造と機能を持ち、単に異なった入力を受信して異なった出力を生成するだけであることが理解されよう。
【００８９】
逆拡散器／レーキユニット７４は、逆拡散器１００とレーキ１０２とを備える。逆拡散器１００は、対応する干渉推定／除去ユニット７２からの出力ベクトルとＤＰＣＨ記号ＣＤＰＣＨを受信して、逆拡散器ａベクトルｙを生成し、これが次にレーキ１０２に送られる。レーキ１０２は、次に、レーキ関数を逆拡散器ベクトルｙに第１のチャネル推定値ｈ＾（１）に関して適用する。レーキ１０２の出力はデータストリームｂ＾（１）を含み、これが次に送出されて、この場合、さらにＤＰＣＨ自己干渉推定／除去ユニット７６中で推定され除去される。
【００９０】
ＤＰＣＨ自己干渉推定／除去ユニット７６の構造を図１１に示す。図示するように、ＤＰＣＨ自己干渉推定／除去ユニット７６はＤＰＣＨ干渉推定器１１４を備えるが、これは、第１の逆拡散器／レーキユニット７４からデータストリームｂ＾（１）を、さらに、初期推定値ｓｉ（１）とＤＰＣＨ自己干渉推定値Ｉ＾ＤＰＣＨを受信する。ＤＰＣＨ除去ユニット１０６は次に、ＤＰＣＨ自己干渉推定値Ｉ＾ＤＰＣＨをＣＣＩＣ出力ベクトルｓｉ（１）に適用して、ＤＰＣＨ出力ベクトルｓｉ（２）を生成する。
【００９１】
図１２を参照すると、ＤＰＣＨ干渉推定器１０４は、第１の逆拡散器／レーキユニット７４から信号を受信して、この信号をハード又は量子化された形態に変換してさらに処理するようにする、判定ユニット１０８を備えている。この修正された信号は次に、一連の乗算器１１０に供給される。乗算器１１０は各々が、この修正された信号に第１のチャネル推定値ｈ＾（１）の要素を乗算して、一連の積を生成する。これらの積は各々が、次に、それぞれの再拡散器１１２に送られる。各再拡散器の出力は乗算器１１４に送られ、そこで、再拡散された各信号には重みγｌが乗算される。これらの乗算器１１４から出力された積は、次に、一連の加算器１１６で用いられる。第１のチャネル推定値ｈ＾（１）のフィンガと同じ数の加算器１１６が存在する。各加算器１１６は、フィンガの内のどれか１つに対応し、また、この和を決定するに際しては、それが対応するフィンガに対応する乗算器以外の全ての乗算器の出力に対応する。全ての加算器１１６の出力は合成されて、ＤＰＣＨ干渉推定値Ｉ＾ＤＰＣＨとなる。
【００９２】
ＤＰＣＨ干渉除去ユニット１０６は、次に、ＤＰＣＨ干渉除去信号Ｉ＾ＤＰＣＨを、共通チャネル干渉推定／除去ユニット７２の共通チャネル干渉除去ユニット８８と同じ仕方で適用して、ＤＰＣＨ出力ベクトルｓｉ（２）を発生させる。
【００９３】
ＤＰＣＨ出力ベクトルｓｉ（２）はチャネル逆拡散器／推定器に印加されて、第２のチャネル推定値ｈ＾（２）を生成する。図１３にチャネル逆拡散器／推定器７８をさらに詳しく示すが、逆拡散器１１８と、逆拡散器１１８の出力に作用するチャネル推定器１２０とを備えている。逆拡散器１１８は、ＤＰＣＨ出力ベクトルｓｉ（２）を共通パイロットチャネル信号記号ＣＣＰＩＣＨに対して逆拡散する。
【００９４】
本発明の第２の実施形態による受信機を図１４に示す。便宜上、第２の実施形態による受信機１５２の部品は、第１の実施形態による上記の受信機の対応する部品と同じ構造と機能とを有するものとして説明する。これは、以下の説明中、当てはまる部分で示してある。
【００９５】
アンテナ１８から受信した信号は、共通チャネル干渉除去ユニット１７２とチャネル推定器１７０とに供給される。チャネル推定器１７０は、この受信信号のチャネルパラメータの初期推定値を計算して、信号のＬ個の別々のマルチパスコンポーネントを出力する。共通チャネル干渉除去ユニット１７２は、これらＬ個のマルチパスコンポーネントをチャネル推定器１７０からの初期推定値として受信する。
【００９６】
共通チャネル干渉除去ユニット１７２は、使用に際して、必要に応じて、チャネル推定器１７０によって提供された初期パラメータに基づいて干渉の複製を生成して、これを受信信号から減算することによって、共通チャネルから干渉を除去するように動作可能である。これを、以下により詳しく説明する。
【００９７】
上記の信号のＬ個のマルチパスコンポーネントは、この時点では共通チャネル干渉が除去されており、第１のレーキ受信機１７４と、また、ＤＰＣＨ自己干渉除去ユニット１７６に入力される。第１のレーキ受信機１７４は、チャネル推定器１７０の出力のＬ個のマルチパスコンポーネントによって構成されており、また、このレーキ受信機１７４の出力はさらに、ＤＰＣＨ自己干渉除去ユニット１７６に入力される。
【００９８】
ＤＰＣＨ自己干渉除去ユニット１７６は、再度チャネル推定器１７０によって提供された初期チャネルパラメータ推定値を用いて、専用物理チャネルの自己干渉による干渉を推定する。ＤＰＣＨ自己干渉除去ユニット１７６も、以下にさらに詳述する。
【００９９】
ＤＰＣＨ自己干渉除去ユニット１７６からの信号出力は、次に、第２のレーキ受信機１８０とチャネル応答計算機１７８とに供給される。チャネル応答計算機１７８は、干渉除去された信号を用いて、新しいチャネル推定値を出力し、これが次に、チャネル推定器１７０が出力した初期チャネル推定値と共にチャネル評価品質推定器１８２に供給される。チャネル評価品質推定器１８２は、どの集合のチャネルパラメータ推定値、すなわち、チャネル推定器１７０の出力とチャネル応答計算機１７８の出力のどちらが、より高い信号／干渉プラス雑音比（ＳＩＮＲ）を提供するかを決定して、このチャネルパラメータ推定値の集合を選択して、第２のレーキ受信機１８０に転送して、そこで、最大比合成で用いられる。
【０１００】
共通チャネル干渉除去ユニット１７２のさらなる構造と動作とを、図１５を参照して以下に述べる。ＳＩＮＲ測定ユニット２００は、アンテナから受信した信号を、ハイブリッド干渉除去ユニット２０４と共に受信する。
【０１０１】
共通チャネル干渉推定ユニット２０６は、送信された共通チャネル信号ｇｋと、チャネル推定器１７０の出力のＬ個の要素とを受信するように動作可能である。共通チャネル干渉推定ユニット２０６は、Ｌ個のチャネル干渉推定値をＬ個の入力信号に対応して、ハイブリッドＩＣユニット２０４に出力するように動作可能である。図示するように、ハイブリッドＩＣユニット２０４と共通チャネル干渉推定ユニット２０６とは各々が、それぞれの入力のＬ個の要素に対応してＬ個の複製要素を含んでいる。
【０１０２】
ＳＩＮＲ測定ユニット２００は、各マルチパスコンポーネントに対して信号／干渉プラス雑音比を評価して、この結果を重み付け更新器２０２に提供する。この重み付け更新器２０２は、チャネルがフェージングする場合には頻繁に更新する必要があり、適切な重み付けにはＳＩＮＲ又はチャネル推定評価値のＭＳＥが用いられえる。マルチパスに対して重み付け更新器２０２から提供されたこのＬ個の重み付けは、次に、ハイブリッド干渉除去ユニット２０４に供給される。このハイブリッド干渉除去ユニット２０４は、これらの重み付けを用いて、直列干渉除去と並列干渉除去とを切り替える、又はこれらを混合する。これが達成される仕方を以下に適宜説明する。
【０１０３】
共通チャネル干渉推定ユニット２０６は、第１のチャネル推定器１７０から初期チャネルパラメータ推定値を、送信された共通チャネル信号ｇｋと共に受信して、ハイブリッド干渉除去ユニット２０４に各マルチパスに対する干渉の複製を供給するが、この複製を受信信号から減算する。
【０１０４】
共通チャネル干渉を推定するために用いられる式は、次のように表すことが可能である。
【数１】
2005244982.tif 000003
【０１０５】
ここで、Ｋは物理チャネルの数であり、Ｌはマルチパスの数であり、γ（１）ｋ、ｌはｉ番目のレーキフィンガのところにおけるｌ番目のマルチパスに対する共通チャネル干渉除去ユニットの重み付け係数であり、ｇｋ≠１ｋ、ｌはｋ番目の共通チャネルのｌ番目のマルチパスに対する信号の複製である。
【０１０６】
レーキ受信機１７２は符号追跡用のＭＳＡアルゴリズムを用い、また、信号を逆拡散させる。レーキ受信機１７２は、次に、最大比合成(Macimal Ratio Combining)を用いて、逆拡散したマルチパスを合成する。
【０１０７】
ＤＰＣＨ自己干渉除去ユニット１７６を、図１６により詳細に示す。共通チャネル干渉が除去された信号は、ＤＰＣＨ自己干渉除去ユニット１７６に供給され、また、ＳＩＮＲ測定ユニット２１０に供給される。第１のレーキ受信機１７４からの逆拡散信号は、ハード／ソフト判定ユニット２１６に入力される。判定ユニット２１６は、受信信号を用いて、専用物理チャネル干渉推定ユニット２１８にハード又はソフトの重み付けを提供するが、これは、各マルチパスに対する干渉の複製をハイブリッド干渉除去ユニット２１４に提供する際に、専用物理チャネル干渉推定ユニット２１８によって用いられる。ＳＩＮＲ測定ユニット２１０は、共通チャネル干渉が除去された信号の信号／干渉プラス雑音比（ＳＩＮＲ）を決定して、各マルチパスに対するこの情報を、重み付け更新器２１２に提供する。重み付け更新器２１２は、次に、重み付けをマルチパス毎にハイブリッド干渉除去ユニット２１４に提供し、並列干渉除去方法と直列干渉除去方法又はそれら２つのハイブリッドでそれに重み付けする。
【０１０８】
専用物理チャネル干渉を推定するために用いられる式は、次のように表すことが可能である。
【数２】
2005244982.tif 000004
【０１０９】
ここで、γ（２）ｉ、ｌは、レーキフィンガｉにおけるマルチパスｌに対する干渉除去ユニットの重み付け係数であり、ｓ＾ｌはマルチパスｌに対する専用物理チャネル自己干渉の複製である。
【０１１０】
本発明の第３の実施形態は、図１７に示す前／後干渉除去（ＰＡＰ−ＩＣ）を含む受信機を提供する。
【０１１１】
図１７に示すように、受信機３００は、図５に示す受信機５２の代わりとして用いることが可能である。受信機３００は、信号をアンテナ１８から受信して、この受信信号に干渉除去を施して、受信データ信号を処理ユニット５６に提供する。
【０１１２】
受信機３００のコンポーネントユニットのあるものは、構造と機能において、第１の実施形態の受信機５２のコンポーネントと等価である。以下の説明で、等価の場合はそれを示してある。
【０１１３】
受信信号は、第１のチャネル推定器３１２とＣＣＩＣ判定ユニット３０２とに提示される。ＣＣＩＣ判定ユニット３０２は、受信信号に基づいて、共通チャネル干渉除去がいつ必要であるかを決定するように動作可能である。共通チャネル干渉除去が必要とされると、受信信号は共通チャネル干渉除去ユニット３１０に送られる。共通チャネル干渉除去ユニット３１０もまた、第１のチャネル推定器３１２からの第１チャネル推定出力によって構成される。ＤＰＣＣ判定ユニット３０４は、この受信信号を受信して、ＣＣＩＣ判定ユニット３０２について、共通チャネル干渉除去は必要ないと考慮するか、又は、ＣＣＩＣ判定ユニット３０２が受信信号を共通チャネル干渉除去ユニット３１０に送れば、このユニット３１０からの信号出力はＤＰＣＣ判定ユニット３０４に送られると考慮する。ＤＰＣＣ判定ユニット３０４は、ＤＰＣＣ自己干渉除去が必要であるかどうか決定するように動作可能である。この目的のため、ＤＰＣＣ判定ユニット３０４は、第１のチャネル推定値で構成される第１のレーキ受信機３１４に信号を出力して、信号データをＤＰＣＨ自己干渉除去ユニット３１６に送出するようにすることが可能である。第１のレーキ受信機３１４とＤＰＣＨ自己干渉除去ユニット３１６とは、双方とも、第１のチャネル推定器によって生成された第１のチャネル推定値で構成されている。ＤＰＣＨ自己干渉除去ユニット３１６からの出力は、第２のチャネル推定器３１８に送られ、また、第２のレーキ受信機３２２に送られる。第２のチャネル推定器３１８は、この入力に基づいて、第２のチャネル推定値を提供し、これが、チャネル評価品質推定器３２０によって第１のチャネル推定値と比較されて、これら２つのチャネル推定値の内のどちらが信号／干渉プラス雑音比という点で品質が高いかを決定する。これら２つの信号の内、品質の高い方が第２のレーキ受信機３２２に送られて、このレーキ受信機に対する入力を構成するようにする。
【０１１４】
さらに、ＤＰＣＣ判定ユニット３０４は、ＤＰＣＣ自己干渉除去は必要ないとの判断に基づいて、このユニット３０４によって受信された信号を、受信機３００の自己干渉除去段をバイパスすることによってチャネル推定にまわすことが可能である。この場合、信号は直接に第２のチャネル推定器３１８と第２のレーキ受信機３２２とに送られて、受信データを第２のレーキ受信機３２２の出力部に提供する。
【０１１５】
本発明の第４の実施形態は、事後干渉除去することによって、通信システムでの指定のサービス品質を達成する。事後干渉除去とは、高品質のチャネル推定と性能の向上を利用するものである。第４の実施形態による受信機４００を図１８に示すが、それを見れば、この第３の実施形態による受信機４００を、図５に示す装置の受信機５２の替わりに用いることが可能であることが理解されよう。
【０１１６】
第４の実施形態を、図１８と１９を参照して次に説明する。上記したように、受信機４００の部品の構造と機能とが、図５の受信機５２の部品と等価である場合は、この旨説明に注記してある。
【０１１７】
受信信号は、共通チャネル干渉除去ユニット４１０中に受信される。この信号を受信した第１チャネル推定器４１２は、第１のチャネル推定値をチャネル推定値品質評価器４２０に供給する。チャネル推定値品質評価器４２０もまた、そのうちに説明する第２のチャネル推定器４１８からフィードバックされた第２のチャネル推定値を受信する。
【０１１８】
これら２つのチャネル推定値の内の品質の高い方が、次に、作業用チャネル推定値として前方に供給されて、共通チャネル干渉除去ユニット４１０を構成し、またさらに、第１のレーキ受信機４１４とＤＰＣＨ自己干渉除去ユニット４１６とを構成するようにする。
【０１１９】
ＤＰＣＨ自己干渉除去ユニットの出力は、第２のレーキ受信機４２２と、また、第２のチャネル推定器４１８とに供給されるが、この推定器４１８は、ＤＰＣＨ自己干渉除去ユニットの出力に基づいて第２のチャネル推定値を生成して、上記したように評価されたチャネル推定値品質にフィードバックさせ、また、第２のレーキ受信機４２２を構成して、プロセッサに出力される受信データ信号を生成するように動作可能である。
【０１２０】
チャネル推定値品質評価器４２０を、図１９において詳述する。チャネル推定値品質評価器４２０は、第１と第２のチャネル推定値を上記したように受信するが、これらは、それぞれ、第１と第２の信号／干渉プラス雑音比（ＳＩＮＲ）計算機４３２と４３４とに送られる。第１と第２のＳＩＮＲ計算機４３２と４３４は、受信信号に基づいてＳＩＮＲの計算値を生成するように動作可能である。これらのＳＩＮＲ測定値は、次に、ＳＩＮＲ比較器４３６に送られて、ここで、２つのＳＩＮＲ測定値の内のどちらが高い値を有するか決定される。これは、受信されたチャネル推定値の内のどちらの品質が高いかを決定するものである。ＳＩＮＲ比較器４３６は、選択信号を選択器４３８に送り、ここで、第１と第２のチャネル推定値の測定値の内の一方を選択して、選択されたチャネル推定値を受信機４００で作業用チャネル推定値として用いられるように出力する。
【０１２１】
本発明の様々な特定的な実施形態を上述した。しかしながら、本発明をこれらの実施形態に制限する意図はない。当業者には様々な変形が明らかであろう。上記の装置の特徴は、様々な仕方で組み合わせれば、代替の装置で類似の長所が得られる。
【０１２２】
本発明は、汎用コンピュータ中でハードウエアとして又はソフトウエアに基づいて実施することが可能である。さらに、本発明は、ハードウエアとソフトウエアの組合せとしても実施可能である。本発明はまた、単一の処理装置として又は処理装置から成る分散型ネットワークとしても実施可能である。
【０１２３】
本発明はソフトウエアで実施可能であるので、本発明は、汎用コンピュータに対してなんらかの適切な搬送媒体で提供されるコンピュータ符号をこの範囲に収めるものである。この搬送媒体は、フロッピー（登録商標）ディスク、ＣＤＲＯＭ、磁気デバイス又はプログラム可能メモリデバイスなどのなんらかの記憶媒体、又はなんらかの信号などの過渡的な媒体、例えば、電気信号、光信号もしくはマイクロウエーブ信号を含むことができる。
【０１２４】
汎用コンピュータが、上記のいずれかの実施形態によって例証される本発明の実施にとって適切であると見なされる一方で、また、本発明はモバイル電話、電子式自己管理手帳または他のいずれかの手持ち式個人的モバイル電子デバイス中でも実施可能である。
【図面の簡単な説明】
【０１２５】
【図１】モバイル電話を含む通信システムを示す上記の図である。
【図２Ａ】ＯＶＳＦコーディング信号に対する、図１に示すシステム中の受信機の自己相関関数を示す上記のグラフである。
【図２Ｂ】ＯＶＳＦコーディング済み信号とそれにスクランブリングを施した場合の、図１に示すシステム中の受信機の自己相関関数を示す上記のグラフである。
【図２Ｃ】図２Ａと図２Ｂのグラフの場合の、比較対象としての最大シーケンスの自己相関関数を示す上記のグラフである。
【図３】ＯＶＳＦの自己相関と、大きい拡散係数でのスクランブリングを示す上記のグラフである。
【図４】本発明の第１の実施形態による受信機を含むモバイル電話ユニットを示す図である。
【図５】図４に示す受信機をより詳細に示す略図である。
【図６】図５に示す受信機の共通チャネル干渉推定／除去ユニットを示す略図である。
【図７】図６に示す共通チャネル干渉推定／除去ユニットの共通チャネル干渉推定器を示す略図である。
【図８】図６に示す共通チャネル干渉推定／除去ユニットの照合器の略図である。
【図９】図６に示す共通チャネル干渉推定／除去ユニットの内の共通チャネル干渉除去ユニットの略図である。
【図１０】図５に示す受信機の第１の逆拡散器／レーキユニットの略図である。
【図１１】図５に示す受信機のＤＰＣＨ自己干渉推定／除去ユニットの略図である。
【図１２】図１１に示すＤＰＣＨ自己干渉推定／除去ユニットの内のＤＰＣＨ干渉推定器の略図である。
【図１３】図５に示す受信機のチャネル逆拡散器／推定器の略図である。
【図１４】図４に示すモバイル電話ユニット中の図５に示す受信機との置き換え用の、本発明の第２の実施形態による受信機を示す略図である。
【図１５】図１４に示す受信機の共通チャネル干渉推定／除去ユニットの略図である。
【図１６】図１４に示す受信機のＤＰＣＨ自己干渉推定／除去ユニットを示す略図である。
【図１７】図４に示すモバイル電話ユニット中の図５に示す受信機との置き換え用の、本発明の第３の特定的な実施形態による受信機を示す略図である。
【図１８】図４に示すモバイル電話ユニット中の図５に示す受信機との置き換え用の、本発明の第４の特定的な実施形態による受信機を示す略図である。
【図１９】それぞれ図１４、図１７又は図１８に示す、本発明の第２、第３又は第４の実施形態の受信機のチャネル評価品質推定器を示す略図である。
【符号の説明】
【０１２６】
１０…ネットワーク、１８…モバイル電話、２４、５６…処理ユニット、５０…アンテナ、５２、１５３、３００、４００…受信機、５４…送信機、５８…メモリ、６０…加入者情報モジュール（ＳＩＭ）、６２…マイクロフォン、６４…ユーザ入力インタフェース、６６…オーディオビジュアル出力ユニット、７２…共通チャネル干渉推定／除去ユニット、７４…第１の逆拡散器／レーキユニット、７６…ＤＰＣＨ自己干渉推定／除去ユニット、７８…チャネル逆拡散器／推定器、８０…第２の逆拡散器／レーキユニット、８２…共通物理チャネル抽出器、８４…共通チャネル干渉推定器、８６…照合器、８８、１７２…共通チャネル干渉除去ユニット、８９…符号追跡ユニット、９０、９１、９２、１１０…乗算器、９４、９６、９８、１１６…加算器、１００、１１８…逆拡散器、１０２…レーキ、  １０４、１１４…ＤＰＣＨ干渉推定器、１０８…判定ユニット、１１２…再拡散器、１２０、１７０…チャネル推定器、１７４、３１４…第１のレーキ受信機、１７６…ＤＰＣＨ自己干渉除去ユニット、１７８…チャネル応答計算機、１８０、３２２、４２２…第２のレーキ受信機、１８２…チャネル評価品質推定器、２００、２１０…ＳＩＮＲ測定ユニット、２０２、２１２…重み付け更新器、２０４、２１４…ハイブリッド干渉除去ユニット、２０６…共通チャネル干渉推定ユニット、２１６…ハード／ソフト判定ユニット、２１８…物理チャネル干渉推定ユニット、３０２…ＣＣＩＣ判定ユニット、３０４…ＤＰＣＣ判定ユニット、３１０、４１０…共通チャネル干渉除去ユニット、３１２、４１２…第１のチャネル推定器、３１６、４１６…ＤＰＣＨ自己干渉除去ユニット、３１８、４１８…第２のチャネル推定器、３２０…チャネル評価品質推定器、４２０…チャネル推定値品質評価器、４３２…第１の信号／干渉プラス雑音比（ＳＩＮＲ）計算機、４３４…第２の信号／干渉プラス雑音比（ＳＩＮＲ）計算機、４３６…ＳＩＮＲ比較器、４３８…選択器
【図１】
2005244982.tif 000005
【図２Ａ】
2005244982.tif 000006
【図２Ｂ】
2005244982.tif 000007
【図２Ｃ】
2005244982.tif 000008
【図３】
2005244982.tif 000009
【図４】
2005244982.tif 000010
【図５】
2005244982.tif 000011
【図６】
2005244982.tif 000012
【図７】
2005244982.tif 000013
【図８】
2005244982.tif 000014
【図９】
2005244982.tif 000015
【図１０】
2005244982.tif 000016
【図１１】
2005244982.tif 000017
【図１２】
2005244982.tif 000018
【図１３】
2005244982.tif 000019
【図１４】
2005244982.tif 000020
【図１５】
2005244982.tif 000021
【図１６】
2005244982.tif 000022
【図１７】
2005244982.tif 000023
【図１８】
2005244982.tif 000024
【図１９】
2005244982.tif 000025
【外国語明細書】
2005244982000001.pdf